(57)【特許請求の範囲】
【請求項１】
便器に設けられ、開口部の形成された本体部と、
前記本体部の内部に収容され前記開口部から進退可能に配置されるとともに、前進した位置で使用者の人体局部に洗浄水を噴射するノズルと、
前記本体部に設けられた回動軸と、
前記ノズルの先端部を閉鎖する位置から開放する位置まで、前記回動軸を介して回動可能に設けられたシャッターと、を備えた局部洗浄装置において、
前記シャッターが、
前記シャッターが前記ノズルの先端部を閉鎖する前記閉位置では、前記シャッターの前記回動軸側の端部から前記回動軸までは第一距離離間して配置され、
前記閉位置から前記シャッターが開方向に所定距離回動した開位置では、前記シャッターの前記回動軸側の前記端部から前記回動軸までは第二距離離間して配置され、
前記第二距離は、前記第一距離よりも長いことを特徴とする局部洗浄装置。
【請求項２】
前記閉位置における前記シャッターの回動半径よりも、前記開位置における前記シャッターの回動半径の方が長い請求項１に記載の局部洗浄装置。
【請求項３】
前記開位置のうち、前記シャッターが前記ノズルの先端部を完全に開放した位置を第一開位置とし、前記第一開位置よりも前記シャッターがさらに前記開方向に回動した位置を第二開位置とし、
前記シャッターを前記第二開位置に保持する保持手段をさらに備える請求項１または２に記載の局部洗浄装置。
【請求項４】
筒状に形成されるとともに、前記回動軸が挿通され前記シャッターに連結されたカム部と、
前記カム部に対向配置された支持部と、を備え、
前記カム部には、外周面から突出する突出部が形成され、
前記閉位置では、前記支持部が前記突出部を当接支持し、前記回動軸の上面と前記カム部の内周面との間には空間部が形成され、
前記開位置では、前記回動軸の上面が前記カム部の内周面を当接支持し、前記回動軸の下面と前記カム部の内周面との間には空間部が形成される請求項１から３のいずれか一項に記載の局部洗浄装置。
【発明の詳細な説明】
【技術分野】
【０００１】
本発明は、局部洗浄装置に関するものである。
【背景技術】
【０００２】
従来から、便器の上に設けられた便座に着座する使用者の局部を洗浄する機能（局部洗浄装置）を有したトイレ装置が知られている。このトイレ装置として、便器と、便器の後部に設けられた本体部（ケーシング）と、本体部の下方に収容されるとともに本体部よりも前方に前進可能とされた洗浄ノズルと、収容された洗浄ノズルの前方の位置に回動可能に設けられたシャッターと、を備えたものが提案されている。このトイレ装置において、シャッターは、該シャッターの上部に設けられた略水平方向に延びる軸を中心として回動可能とされている。（下記特許文献１参照）。
【先行技術文献】
【特許文献】
【０００３】
【特許文献１】特開２０１０−１１６７３０号公報
【発明の概要】
【発明が解決しようとする課題】
【０００４】
しかしながら、上記の特許文献１に記載のトイレ装置において、シャッターの上端部と本体部の下部との間に形成される隙間が大きい場合には、当該隙間から本体部内部に飛沫が浸入してしまう虞がある。一方、当該隙間が小さい場合には、シャッターが軸を中心に回動する際に、シャッターの上端部と本体部とが干渉してシャッターを滑らかに開閉することができなかったり、本体部に損傷を生じさせてしまったりする虞がある。
【０００５】
そこで、本発明は、上記事情に鑑みてなされたものであり、シャッターが閉じているときにはシャッターの設けられた本体部とシャッターとの間に生じる隙間を抑えつつ、好適に開閉可能なシャッターを備えた局部洗浄装置を提供する。
【課題を解決するための手段】
【０００６】
上記目的を達成するために、本発明は以下の手段を採用している。
すなわち、本発明に係る局部洗浄装置は、便器に設けられ、開口部の形成された本体部と、前記本体部の内部に収容され前記開口部から進退可能に配置されるとともに、前進した位置で使用者の人体局部に洗浄水を噴射するノズルと、前記本体部に設けられた回動軸と、前記ノズルの先端部を閉鎖する位置から開放する位置まで、前記回動軸を介して回動可能に設けられたシャッターと、を備えた局部洗浄装置において、前記シャッターが、前記シャッターが前記ノズルの先端部を閉鎖する前記閉位置では、前記シャッターの前記回動軸側の端部から前記回動軸までは第一距離離間して配置され、前記閉位置から前記シャッターが開方向に所定距離回動した開位置では、前記シャッターの前記回動軸側の前記端部から前記回動軸までは第二距離離間して配置され、前記第二距離は、前記第一距離よりも長いことを特徴とする。
【０００７】
このように構成された局部洗浄装置では、シャッターがノズルの先端部を閉鎖する閉位置におけるシャッターの回動軸側の端部から回動軸までの離間距離（第一距離）は、閉位置よりもシャッターが開方向に所定距離回動した開位置におけるシャッターの回動軸側の端部から回動軸までの離間距離（第二距離）よりも短い。よって、閉位置において、回動軸が設けられた本体部とシャッターの回動軸側の端部との距離を、シャッター回動動作中よりも近づけることができる。その結果、閉位置において、本体部とシャッターの回動軸側の端部との間に生じる隙間を抑えることができる。
また、シャッターの回動軸側の端部から回動軸までの距離は、開位置では閉位置よりも長いため、開位置において本体部とシャッターの回動軸側の端部との間には適切な隙間が生じる。よって、開位置において、本体部とシャッターの回動軸側の端部との干渉を抑えることができるため、シャッターを好適に開閉することができる。
【０００８】
また、本発明に係る局部洗浄装置は、前記閉位置における前記シャッターの回動半径よりも、前記開位置における前記シャッターの回動半径の方が長いことが好ましい。
【０００９】
このように構成された局部洗浄装置では、シャッターの回動半径は、開位置の方が閉位置よりも長い。よって、シャッターは、本体部との間に適切な隙間を確保しながら回動する。
【００１０】
また、本発明に係る局部洗浄装置は、前記開位置のうち、前記シャッターが前記ノズルの先端部を完全に開放した位置を第一開位置とし、前記第一開位置よりも前記シャッターがさらに前記開方向に回動した位置を第二開位置とし、前記シャッターを前記第二開位置に保持する保持手段をさらに備えていてもよい。
【００１１】
このように構成された局部洗浄装置では、保持手段がシャッターを第二開位置に保持するため、シャッターを第二開位置において開いた状態を維持することができる。したがって、シャッターを開状態に保持した状態で、容易にメンテナンスを行うことが可能となる。
【００１２】
また、本発明に係る局部洗浄装置は、筒状に形成され、前記回動軸の外周面との間に離間して配置されたカム部と、前記カム部の下方に配置された支持部と、をさらに備え、前記カム部には、径方向外側に向かうにしたがって次第に突出寸法が大きくなるように形成された突出部が形成され、前記閉位置では、前記支持部が前記突出部を当接支持し、前記回動軸の上面と前記カム部の内周面との間には空間部が形成され、前記開位置では、前記回動軸の上面が前記カム部の内周面を当接支持し、前記記回動軸の下面と前記カム部の内周面との間には空間部が形成されていてもよい。
【００１３】
このように構成された局部洗浄装置では、カム部、カム部を支持する支持部及び回動軸により、簡易な構成で本体部とシャッターの回動軸側の端部との間に生じる隙間を確実に調整することができる。また、カム部に形成された突出部の突出寸法、回動軸の直径寸法、又はカム部の中空部の直径寸法を調整することにより、本体部とシャッターの回動軸側の端部との間に生じる隙間の大きさを調整することができる。
【発明の効果】
【００１４】
本発明に係る局部洗浄装置によれば、シャッターが閉じているときにはシャッターの設けられた本体部とシャッターとの間に生じる隙間を抑えつつ、好適に開閉することができる。
【図面の簡単な説明】
【００１５】
【図１】本発明の第一実施形態に係る局部洗浄装置の斜視図である。
【図２】本発明の第一実施形態に係る局部洗浄装置を構成するノズル周辺を前方から見た斜視図である。
【図３】本発明の第一実施形態に係る局部洗浄装置を構成するノズル周辺を後方から見た斜視図である。
【図４】本発明の第一実施形態に係る局部洗浄装置を構成するシャッター周辺の部材の分解斜視図である。
【図５】本発明の第一実施形態に係る局部洗浄装置を構成するシャッターを支持する部材の斜視図である。
【図６】本発明の第一実施形態に係る局部洗浄装置において、シャッターが閉位置にある場合のシャッター周辺の断面図である。
【図７】図６におけるカム部周辺の拡大図である。
【図８】本発明の第一実施形態に係る局部洗浄装置において、シャッターの回動途中のシャッター周辺の断面図である。
【図９】図８におけるカム部周辺の拡大図である。
【図１０】本発明の第一実施形態に係る局部洗浄装置において、シャッターが第一開位置にある場合のシャッター周辺の断面図である。
【図１１】図１０におけるカム部周辺の拡大図である。
【図１２】本発明の第一実施形態に係る局部洗浄装置において、シャッターが第二開位置にある場合のシャッター周辺の断面図である。
【図１３】図１２におけるカム部周辺の拡大図である。
【図１４】本発明の第二実施形態に係る局部洗浄装置において、シャッターが閉位置にある場合のシャッター周辺の断面図である。
【図１５】本発明の第二実施形態に係る局部洗浄装置において、シャッターの回動途中のシャッター周辺の断面図である。
【図１６】本発明の第二実施形態に係る局部洗浄装置において、シャッターが第一開位置にある場合のシャッター周辺の断面図である。
【発明を実施するための形態】
【００１６】
（第一実施形態）
本発明の第一実施形態である局部洗浄装置について説明する。
図１は、本発明の第一実施形態に係る局部洗浄装置の斜視図である。
図１に示すように、局部洗浄装置１は、便器Ｔの上部に取り付けられている。局部洗浄装置１は、便器Ｔに設けられた本体部２と、本体部２に回動可能に設けられ、使用者の臀部を支持する便座３と、を備えている。さらに、局部洗浄装置１は、本体部２に収容され進退可能とされた第一洗浄ノズル（ノズル）４及び第二洗浄ノズル（ノズル）５と、これら第一洗浄ノズル４及び第二洗浄ノズル５の前方に開閉可能に設けられたシャッター６と、シャッター６を開閉する開閉機構７と、を備えている。
ここで、便座３に着座する使用者の顔が向く方向を前方とし、便座３に着座する使用者の背中が向く方向を後方とする。また、前後方向と直交する水平方向であって局部洗浄装置１の幅方向を左右方向とする。
【００１７】
本体部２は、内部に配置された第一洗浄ノズル４及び第二洗浄ノズル５等の各種機能部品が組み込まれた筐体部２０を有している。筐体部２０は、下方に向かうにしたがって次第に前方に向かうように傾斜配置された傾斜壁部２１と、傾斜壁部２１の下端から折曲し下方に向かうにしたがって次第に後方に向かうように形成された折曲壁部２２と、を有している。
【００１８】
折曲壁部２２には、正面から見て下端から上方に向かって凹状に切り欠かれた部分が形成されている。この切り欠かれた部分は、開口凹部（開口部）２２Ｋとされている。
【００１９】
便座３は、後部に設けられた左右方向を向く軸部（不図示）を中心に回動可能に設けられている。
【００２０】
第一洗浄ノズル４は、便局部洗浄用のノズルである。第二洗浄ノズル５は、ビデ洗浄用のノズルである。
【００２１】
図２は、局部洗浄装置１を構成する第一洗浄ノズル４及び第二洗浄ノズル５周辺を前方から見た斜視図である。図３は、局部洗浄装置１を構成する第一洗浄ノズル４及び第二洗浄ノズル５周辺を後方から見た斜視図である。
図１〜３に示すように、第一洗浄ノズル４及び第二洗浄ノズル５は、本体部２の傾斜壁部２１の下方に配置されている。第一洗浄ノズル４及び第二洗浄ノズル５は、それぞれ後端部４Ｚ，５Ｚ側から先端部４Ａ，５Ａ側に向かうにしたがって次第に下方に向かうように傾斜配置されている。
【００２２】
未使用時の状態において、第一洗浄ノズル４の先端部４Ａ及び第二洗浄ノズル５の先端部５Ａは、それぞれ本体部２の開口凹部２２Ｋの後方に配置されている。これら第一洗浄ノズル４及び第二洗浄ノズル５は、モータＭの駆動により、本体部２内に収容された状態から、前方に向かうにしたがって次第に下方に向かうＡ１方向に前進して、本体部２の開口凹部２２Ｋから突出することができる。
【００２３】
第一洗浄ノズル４及び第二洗浄ノズル５は、前進した位置において、便座３に着座する使用者の人体局部に洗浄水を噴射する。噴射終了後に、第一洗浄ノズル４及び第二洗浄ノズル５は、後方に向かうにしたがって次第に上方に向かうＡ２方向（Ａ１と反対方向）に後退して、再び本体部２内に収容される。
【００２４】
シャッター６は、本体部２の開口凹部２２Ｋに配置されている。
図４は、局部洗浄装置１を構成するシャッター６周辺の部材の分解斜視図である。
図４に示すように、シャッター６は、板状に形成されたシャッター本体６１と、シャッター本体６１の後面に設けられた一対の山型凸部６２，６２と、後述する開閉機構７と係合する一対の係合部６３，６３と、を有している。
【００２５】
図３に示すように、一対の山型凸部６２，６２は、後退した位置における第一洗浄ノズル４の先端部４Ａの前方及び第二洗浄ノズル５の先端部５Ａの前方にそれぞれ対向配置されている。
【００２６】
図４に示すように、山型凸部６２は、シャッター６の後面６Ｚから後方に延びる上壁部６２Ａと、上壁部６２Ａの後端から後方に向かうにしたがって次第に下方に向かうように形成された上側傾斜壁部６２Ｂと、上側傾斜壁部６２Ｂの後端から下方に延びるように形成された後壁部６２Ｃと、を有している。
さらに、山型凸部６２は、後壁部６２Ｃの後端から前方に向かうにしたがって次第に下方に向かうように形成された下側傾斜壁部６２Ｄと、下側傾斜壁部６２Ｄの下端から前方に延びるように形成されシャッター６の後面６Ｚに連結された下壁部６２Ｅと、を有している。
【００２７】
開閉機構７は、本体部２に設けられた支持フレーム７０と、支持フレーム７０に支持された回動軸８０と、内部に回動軸８０が挿通されシャッター６を支持する支持アーム９０と、シャッター６が閉鎖する向きに支持アーム９０を付勢する付勢部９９と、を有している。
【００２８】
図５は、局部洗浄装置１を構成するシャッター６を支持する支持フレーム７０の斜視図である。図６は、局部洗浄装置１において、シャッター６が閉位置にある場合のシャッター６周辺の断面図である。図７は、図６におけるカムシャフト９３周辺の拡大図である。
図４，５に示すように、支持フレーム７０は、本体部２（図１参照）に設けられ、左右方向に離間して配置された一対のフレーム本体７１，７１と、フレーム本体７１，７１どうしを連結する連結フレーム部７２と、を有している。
【００２９】
フレーム本体７１には、左右方向に貫通する貫通孔７１Ｈが形成されている。図５，７に示すように、一方のフレーム本体７１Ｘのフレーム本体７１Ｙを向く面には、略水平をなす支持壁部（支持部）７１Ａと、支持壁部７１Ａの後部から上方に立設する立設壁部７１Ｂと、立設壁部７１Ｂの上端から後方に向かうにしたがって次第に上方に向かうように形成された傾斜壁部７１Ｃとが形成されている。
【００３０】
立設壁部７１Ｂと傾斜壁部７１Ｃとの交わる部分には、上方に向かって突出する係合突起７１Ｐがさらに形成されている。
【００３１】
図２，４に示すように、回動軸８０は、左右方向に延びる軸本体８１と、軸本体８１の一端部から後方に延びる第一折曲軸部８２と、第一折曲軸部８２の端部から軸本体８１の他端部に向かって延びる第二折曲軸部８３と、を有している。
【００３２】
図４，６に示すように、支持アーム９０は、左右方向に離間して配置された一対のアーム本体９１，９１と、アーム本体９１，９１どうしを連結する連結アーム部９２と、一方のアーム本体９１から側方に向かって延びるカムシャフト（カム部）９３と、を有している。
【００３３】
アーム本体９１の前面には、後方に向かって凹む係合凹部９１Ｄが形成されている。この係合凹部９１Ｄにシャッター６の係合部６３が係合している。これにより、シャッター６は支持アーム９０に取り付けられている。また、アーム本体９１には、左右方向に貫通する貫通孔９１Ｈが形成されている。
【００３４】
カムシャフト９３は、左右方向に延びる筒状に形成されたカム本体９４を有している。カム本体９４には、左右方向に貫通する貫通孔９４Ｈが形成されている。この貫通孔９４Ｈは、一方のアーム本体９１Ｘの貫通孔９１Ｈに連通している。カム本体９４の貫通孔９４Ｈ及びアーム本体９１，９１の貫通孔９１Ｈ，９１Ｈの直径は、回動軸８０の軸本体８１の直径径よりも大きく形成されている。
【００３５】
図７に示すように、カム本体９４には、カム本体９４の曲面状の外周面から突出する突出部９５が形成されている。突出部９５は、カム本体９４の外周面から平面状に形成された平面部９５Ａと、カム本体９４の外周面から曲面状に形成された曲面部９５Ｂとを有している。これら平面部９５Ａと曲面部９５Ｂとの交わる点が、突出部９５の頂点とされている。
【００３６】
また、カム本体９４には、カム本体９４の外周面から突出するカム側突起９６が形成されている。カム側突起９６は、突出部９５と周方向に離間して配置されている。突出部９５のカム本体９４の外周面からの突出高さは、カム側突起９６のカム本体９４の外周面からの突出高さよりも高い。
このカム側突起９６と、支持フレーム７０の係合突起７１Ｐとは、後述する保持手段を構成している。
【００３７】
図４，６に示すように、回動軸８０の軸本体８１が、支持フレーム７０の一方のフレーム本体７１Ｘの貫通孔７１Ｈ側から挿通されている。そして、挿通された軸本体８１は、支持アーム９０のカムシャフト９３の貫通孔９４Ｈ、カムシャフト９３の設けられた一方のアーム本体９１Ｘの貫通孔９１Ｈ及び他方のアーム本体９１Ｙの貫通孔９１Ｈに挿通されている。そして、他方のアーム本体９１Ｙの貫通孔９１Ｈから突出した軸本体８１には、付勢部９９が設けられている。付勢部９９は、シャッター６を閉める閉方向に、支持アーム９０を付勢している。
【００３８】
他方のアーム本体９１Ｙの貫通孔９１Ｈから突出した回動軸８０の軸本体８１の端部は、他方のフレーム本体７１Ｙに連結されている。また、回動軸８０の第二折曲軸部８３は、支持フレーム７０の後面に係合している。これにより、回動軸８０は、支持フレーム７０に取り付けられている。
【００３９】
また、回動軸８０の軸本体８１は、傾斜壁部２１と折曲壁部２２との角部の下方に配置されている。シャッター６は、軸本体８１の前方且つ下方に配置されている。
【００４０】
次に、上記のように構成された局部洗浄装置１におけるシャッター６の動作について説明する。
（閉位置）
図６，７に示すように、閉位置では、第一洗浄ノズル４は後退して本体部２内に収容されるとともに、シャッター６は付勢部９９（図４参照）の付勢力により第一洗浄ノズル４の先端部４Ａを閉鎖している。そして、軸本体８１の直下にカムシャフト９３の突出部９５が配置され、突出部９５の曲面部９５Ｂが支持フレーム７０の支持壁部７１Ａに当接している。突出部９５と支持壁部７１Ａとが当接することによりカムシャフト９３が上方に押し上げられ、回動軸８０の軸本体８１の上面とカムシャフト９３の内周面との間に空間部Ｋ１が形成されている。つまり、軸本体８１の中心から突出部９５までの鉛直距離は、軸本体８１の中心から支持壁部７１までの鉛直距離と同一になっている。
このようにして、支持フレーム７０が、支持アーム９０のカムシャフト９３を支持している。
【００４１】
ここで、閉位置におけるシャッター６の上端部６Ｔ（シャッター６の軸本体８１側の端部）から軸本体８１の中心までの距離、つまりシャッター６の回動半径は、距離（第一距離）Ｌ１とする。
【００４２】
上記の閉位置から、使用者が、第一洗浄ノズル４を前進させる指令（例えば、洗浄ボタンを押す動作を実行）を送ると、モータＭ（図２参照）が駆動し、第一洗浄ノズル４がＡ１方向に前進する。そして、第一洗浄ノズル４の先端部４Ａが、シャッター６の山型凸部６２に当接してＡ１方向の力を加える。
【００４３】
本実施形態では、第一洗浄ノズル４の先端部４Ａが、まず山型凸部６２の後壁部６２Ｃに当接する（図６の二点鎖線参照）。後壁部６２Ｃには第一洗浄ノズル４の先端部４ＡからＡ１方向の力が作用するため、シャッター６に取り付けられた支持アーム９０は回動軸８０の軸本体８１を中心に前方且つ上方（開方向）へ回動し始める。
【００４４】
支持アーム９０の開方向への回動にともなって、第一洗浄ノズル４の先端部４Ａが山型凸部６２に当接する面は、後壁部６２Ｃから後壁部６２Ｃの上部に形成された上側傾斜壁部６２Ｂへと移動する。
【００４５】
（基準開位置）
図８は、局部洗浄装置１において、シャッター６の回動途中のシャッター６周辺の断面図である。図９は、図８におけるカムシャフト９３周辺の拡大図である。
図８，９に示すように、支持アーム９０の開方向への回動により、カムシャフト９３の突出部９５は支持壁部７１Ａ上を前方へと移動する。突出部９５が軸本体８１の直下から前方へと移動するため、支持アーム９０は軸本体８１に対して相対的に下方に移動する。そして、カムシャフト９３は、重力により、カムシャフト９３の上側の内周面が軸本体８１の上面と当接する位置まで、下方に移動する。この時、軸本体８１の下面とカムシャフト９３の下側の内周面との間には、空間部Ｋ２が形成されている。この位置を、基準開位置とする。
【００４６】
ここで、基準開位置におけるシャッター６の上端部６Ｔから軸本体８１の中心までの距離、つまりシャッター６の回動半径は、距離（第二距離）Ｌ２とされている。距離Ｌ２は、距離Ｌ１よりも長い。
【００４７】
支持壁部７１Ａと当接する突出部９５の曲面部９５Ｂは曲面状に形成されているため、閉位置から基準開位置まで移行する際に、支持アーム９０は徐々に下方に下がる。このため、シャッター６の回動半径は、徐々に大きくなる。
【００４８】
（第一開位置）
図１０は、局部洗浄装置１において、シャッター６が第一開位置にある場合のシャッター６周辺の断面図である。図１１は、図１０におけるカムシャフト９３周辺の拡大図である。
支持アーム９０が基準開位置よりもさらに開方向へと回動すると、第一洗浄ノズル４の先端部４Ａが山型凸部６２に当接する部分は、上側傾斜壁部６２Ｂの上側から下側へと移動する。そして、図１０，１１に示すように、支持アーム９０がさらに開方向へと回動して、山型凸部６２が第一洗浄ノズル４の先端部４Ａよりも上方に配置されると、第一洗浄ノズル４の上面４Ｔが山型凸部６２の後壁部６２Ｃを滑るようにして、第一洗浄ノズル４が前進する。このように、シャッター６が第一洗浄ノズル４の先端部４Ａを完全に開放した位置を、第一開位置とする。
【００４９】
この第一開位置において、カムシャフト９３におけるカム側突起９６と係合突起７１Ｐとの間の外周面９３Ｐは、支持壁部７１Ａに当接していない。または、カムシャフト９３の上側の内周面は、軸本体８１の上面と当接している。また、軸本体８１の下面とカムシャフト９３の下側の内周面との間には、空間部Ｋ２が形成されている。つまり、軸本体８１の中心からカムシャフト９３におけるカム側突起９６と係合突起７１Ｐとの間の外周面９３Ｐまでの鉛直距離は、軸本体８１の中心から支持壁部７１までの鉛直距離よりも短くなっている。
また、カムシャフト９３のカム側突起９６は、支持フレーム７０の係合突起７１Ｐの後方に配置されている。
【００５０】
ここで、第一開位置におけるシャッター６の上端部６Ｔから軸本体８１の中心までの距離、つまりシャッター６の回動半径は、距離（第二距離）Ｌ３とされている。距離Ｌ３は、距離Ｌ１よりも長い。なお、距離Ｌ３は、基準開位置における距離Ｌ２と同一であってもよい。
【００５１】
この第一開位置において、第一洗浄ノズル４は、便座３に着座する使用者の人体局部に洗浄水を噴射する。
【００５２】
そして、使用者が、第一洗浄ノズル４を後退させる指令（例えば、停止ボタンを押す動作を実行）を送ると、第一洗浄ノズル４がＡ２方向に後退する。そして、支持アーム９０に取り付けられた付勢部９９（図４参照）の閉方向への付勢力により、支持アーム９０及び支持アーム９０に取り付けられたシャッター６は、基準開位置を経由して、閉位置へと戻る。
【００５３】
（第二開位置）
図１２は、局部洗浄装置１において、シャッター６が第二開位置にある場合のシャッター６周辺の断面図である。図１３は、図１２におけるカムシャフト９３周辺の拡大図である。
図１２，１３に示すように、第一開位置において、使用者がシャッター６を上方に引き上げると、シャッター６に取り付けられた支持アーム９０がさらに開く方向へと回動する。これにより、カムシャフト９３のカム側突起９６は、支持フレーム７０の係合突起７１Ｐを乗り超えて、係合突起７１Ｐの前面に係合する。ここで、支持アーム９０には付勢部９９（図４参照）により閉方向の付勢力が作用しているが、カム側突起９６が係合突起７１Ｐに係合しているため、支持アーム９０は閉方向に回動することはない。このように、保持手段を構成するカム側突起９６及び係合突起７１Ｐにより、シャッター６は第二開位置に保持されている。
【００５４】
ここで、第二開位置におけるシャッター６の上端部６Ｔから軸本体８１の中心までの距離、つまりシャッター６の回動半径は、距離（第二距離）Ｌ４とされている。距離Ｌ４は距離Ｌ１よりも長い。なお、距離Ｌ４は、基準開位置における距離Ｌ２、第一開位置における距離Ｌ３と同一であってもよい。
【００５５】
第二開位置において、シャッター６を押し下げると、シャッター６は付勢部９９（図４参照）の付勢力により閉方向に回動して、第一開位置、基準開位置を経由して、閉位置へと戻る。
【００５６】
なお、上記においては、ノズルのうち第一洗浄ノズル４の前進・後退動作を例に挙げて説明した。第二洗浄ノズル５の前進・後退動作においては、第二洗浄ノズル５が第二洗浄ノズル５に対応する山型凸部６２（第一洗浄ノズル４に対応する山型凸部６２と同様な構成）に当接する点を除いて、同様であるため、説明を省略する。
【００５７】
このように構成された局部洗浄装置１では、シャッター６の上端部６Ｔから軸本体８１の中心までの距離において、閉位置における距離Ｌ１が、基準開位置、第一開位置及び第二開位置における距離Ｌ２，Ｌ３，Ｌ４よりも短い。よって、閉位置において、本体部２の折曲壁部２２の端部とシャッター６の上端部６Ｔとの間に生じる隙間を抑えることができる。
また、上記のとおり、基準開位置、第一開位置及び第二開位置における距離Ｌ２，Ｌ３，Ｌ４が閉位置における距離Ｌ１よりも長い。つまり、シャッター６が完全に開いた第一開位置のみならず閉位置から第一開位置までの開閉動作途中の基準開位置においても、シャッター６の上端部６Ｔから軸本体８１までの距離が、閉位置におけるシャッター６の上端部６Ｔから軸本体８１までの距離よりも長い。これにより、基準開位置、第一開位置及び第二開位置において、本体部２の折曲壁部２２とシャッター６の上端部６Ｔとの間には適切な隙間が生じる。よって、基準開位置、第一開位置及び第二開位置において、折曲壁部２２とシャッター６の上端部６Ｔとの干渉を抑えることができるため、シャッター６を好適に開閉することができる。
【００５８】
また、シャッター６の回動半径は、基準開位置、第一開位置及び第二開位置の方が閉位置よりも長い。よって、シャッター６は、本体部２の折曲壁部２２との間に適切な隙間を確保しながら回動する。
【００５９】
また、カムシャフト９３のカム側突起９６とフレーム本体７１の係合突起７１Ｐとの係合により、シャッター６を第二開位置において開いた状態に維持することができる。よって、この第二開位置において、使用者はシャッター６を開いたまま状態で、シャッター６及び第一洗浄ノズル４、第二洗浄ノズル５周辺等の掃除を容易にすることができる。
【００６０】
また、カムシャフト９３、支持壁部７１Ａ及び軸本体８１により、本体部２の折曲壁部２２とシャッター６の上端部６Ｔとの間に生じる隙間を確実に調整することができる。また、カムシャフト９３に形成された突出部９５の突出寸法や、軸本体８１の外周面とカムシャフト９３との間に形成される空間部Ｋ１，Ｋ２の高さ（軸本体８１の径方向の寸法）を調整することにより、折曲壁部２２とシャッター６の上端部６Ｔとの間に生じる隙間の大きさを調整することができる。
【００６１】
また、支持壁部７１Ａと当接する突出部９５の曲面部９５Ｂは曲面状に形成されているため、閉位置から基準開位置まで移行する際に、支持アーム９０は徐々に下方に下がる。このため、シャッター６の回動半径は徐々に大きくなるため、シャッター６を滑らかに回動させつつ、本体部２との干渉を防ぐことができる。
【００６２】
（第二実施形態）
以下、本発明の第二実施形態に係る局部洗浄装置２０１について、主に図１４〜１６を用いて説明する。
この実施形態において、前述した実施形態で用いた部材と同一の部材には同一の符号を付して、その説明を省略する。
【００６３】
図１４は、本発明の第二実施形態に係る局部洗浄装置において、シャッターが閉位置にある場合のシャッター周辺の断面図である。図１５は、本発明の第二実施形態に係る局部洗浄装置において、シャッターの回動途中のシャッター周辺の断面図である。図１６は、本発明の第二実施形態に係る局部洗浄装置において、シャッターが第一開位置にある場合のシャッター周辺の断面図である。
図６，１４に示すように、シャッター２０６において、山型凸部６２のシャッター本体６１に設けられる位置は、第一実施形態よりも上方である。
【００６４】
図１４〜１６に示すように、シャッター２０６は、係合軸２６３を有している。係合軸２６３は、左右方向に延びる円柱状をなしている。
【００６５】
支持アーム２９０のアーム本体２９１には、後方に向かって凹む係合凹部２９１Ｄが形成されている。係合凹部２９１Ｄは、シャッター２０６の係合軸２６３の外面形状に対応して円弧状に形成されている。係合軸２６３は、係合凹部２９１Ｄに沿って回動可能とされている。これにより、シャッター本体６１は、係合軸２６３を係合凹部２９１Ｄに沿って摺動可能として、アーム本体２９１に取り付けられている。
【００６６】
また、係合軸２６３は、山型凸部６２の後壁部６２Ｃよりも下方且つ前方に配置されている。
【００６７】
アーム本体２９１には、左右方向に貫通する貫通孔２９１Ｈが形成されている。この貫通孔２９１Ｈの径は、回動軸８０の軸本体８１の径と略同一であるかわずかに大きい。また、支持アーム２９０には、第一実施形態のようなカムシャフトは設けられていない。
【００６８】
図１４に示す閉位置では、シャッター２０６の上端部６Ｔから軸本体８１の中心は、距離（第一距離）Ｌ１１離間している。
【００６９】
この閉位置から、使用者が、第一洗浄ノズル４を前進させる指令を送ると、モータＭ（図２参照）が駆動し、第一洗浄ノズル４がＡ１方向に前進する。そして、第一洗浄ノズル４の先端部４Ａが、山型凸部６２の後壁部６２Ｃに当接する。後壁部６２Ｃには、第一洗浄ノズル４の先端部４ＡからＡ１方向の力が作用する。
【００７０】
図１５に示すように、第一洗浄ノズル４が前進した際に始めに当接する後壁部６２Ｃは、係合軸２６３の上方且つ後方に配置されている。これにより、第一洗浄ノズル４の先端部４Ａが後壁部６２Ｃに当接し、さらに第一洗浄ノズル４が前進して後壁部６２Ｃを押し込むと、係合軸２６３が係合凹部２９１Ｄに沿って回動し、シャッター本体６１の上部を前方に傾斜させる。
【００７１】
ここで、図１５に示す開位置におけるシャッター２０６の上端部６Ｔから軸本体８１の中心は、距離（第二距離）Ｌ１２離間している。シャッター２０６は閉位置から前方に傾斜しているため、距離Ｌ１２は距離Ｌ１１よりも長くなる。
【００７２】
第一洗浄ノズル４がさらにＡ１方向に前進すると、支持アーム９０が開方向へと回動し始める。図１６に示すように、シャッター２０６の山型凸部６２が第一洗浄ノズル４の先端部４Ａよりも上方に配置されると、第一洗浄ノズル４の上面４Ｔが山型凸部６２の後壁部６２Ｃを滑るようにして、第一洗浄ノズル４が前進して、第一開位置になる。
【００７３】
ここで、第一開位置におけるシャッター２０６の上端部６Ｔから軸本体８１の中心は、距離（第二距離）Ｌ１３離間している。距離Ｌ１３は、距離Ｌ１１よりも長い。なお、距離Ｌ１３は、距離Ｌ１２と同一であってもよい。
【００７４】
このように構成された局部洗浄装置２０１においても、距離Ｌ１１を距離Ｌ１２，Ｌ１３よりも短くすることができるため、閉位置において、折曲壁部２２の端部とシャッター２０６の上端部６Ｔとの間に生じる隙間を抑えることができる。
また、シャッター２０６が上部を前方に傾斜させるように動き始めてから第一開位置に至るまでにおいて、折曲壁部２２とシャッター２０６の上端部６Ｔとの干渉を抑えることができるため、シャッター２０６を好適に開閉することができる。
【００７５】
なお、上述した実施の形態において示した組立手順、あるいは各構成部材の諸形状や組み合わせ等は一例であって、本発明の主旨から逸脱しない範囲において設計要求等に基づき種々変更可能である。
【００７６】
例えば、シャッター６の開閉機構としてリンク機構を採用することにより、開位置におけるシャッター６の回動軸８０側の端部から回動軸８０までの離間距離が、閉位置におけるシャッター６の回動軸８０側の端部から回動軸８０までの離間距離よりも長い構成としてもよい。
【００７７】
また、上記に示す第一実施形態においては、突出部９５における支持壁部７１Ａと当接する部分は、曲面状に形成された曲面部９５Ｂとされ、カム本体９４の外周面から緩やかに形成されるようにしているが、本発明はこれに限られない。例えば、突出部が、カム本体９４の外周面から略直角等で立ち上がるように形成されていてもよい。この場合には、当該突出部が支持壁部７１Ａと当接しなくなった瞬間に、カムシャフトが下方に移動して、シャッターの回動半径が大きくなる。
【符号の説明】
【００７８】
１…局部洗浄装置
２…本体部
３…便座
４…第一洗浄ノズル（ノズル）
５…第二洗浄ノズル（ノズル）
６…シャッター
２２Ｋ…開口凹部（開口部）
７０…支持アーム
７１Ａ…支持壁部（支持部）
７１Ｐ…係合突起（保持手段）
８０…回動軸
９０…支持アーム
９３…カムシャフト（カム部）
９５…突出部
９６…カム側突起（保持手段）
Ｌ１…距離（第一距離）
Ｌ２，Ｌ３，Ｌ４…距離（第二距離）
Ｔ…便器
【図１】
0006270660.tif 000002
【図２】
0006270660.tif 000003
【図３】
0006270660.tif 000004
【図４】
0006270660.tif 000005
【図５】
0006270660.tif 000006
【図６】
0006270660.tif 000007
【図７】
0006270660.tif 000008
【図８】
0006270660.tif 000009
【図９】
0006270660.tif 000010
【図１０】
0006270660.tif 000011
【図１１】
0006270660.tif 000012
【図１２】
0006270660.tif 000013
【図１３】
0006270660.tif 000014
【図１４】
0006270660.tif 000015
【図１５】
0006270660.tif 000016
【図１６】
0006270660.tif 000017